(57)【要約】【課題】蓋のロック作業の簡易化および蓋を開ける作業の容易化を図る。【解決手段】筐体２の開口を塞ぐ蓋５４と、スライド可能なスライドロック部５２とを備えた蓋の開閉構造１であって、蓋５４は、開閉動作時にスライドロック部の端部５２ａと接する端部５４ａを有し、バネ部材５５の伸縮と、端部５４ａおよび端部５２ａの各形状を利用し、容易に蓋５４の簡易ロックと簡易ロックのアンロックができる。【選択図】図１
2014038395.tif 000002
【特許請求の範囲】
【請求項１】
開口が形成された筐体と、
上記筐体の開口を開閉する蓋と、
上記蓋の一端側に設けられ、上記筐体に対して上記蓋を回動可能に連結する連結部と、
上記開口の閉状態における上記蓋の他端側の筐体の部分に設けられ、上記蓋の上記他端側から遠ざかる方向にスライド可能なスライドロック部と
を備え、
上記蓋の上記他端側の端部の面である第１の接触面は、上記開口の開状態から閉状態へ変化する過程、および、上記閉状態から上記開状態へ変化する際の上記蓋を跳ね上げる過程のいずれにおいても、上記スライドロック部と接するものであり、
上記スライドロック部の、上記開口の閉状態における上記蓋の上記他端側の端部の面である第２の接触面は、上記開口の開状態から閉状態へ変化する過程、および、上記閉状態から上記開状態へ変化する際の上記蓋を跳ね上げる過程のいずれにおいても、上記蓋と接するものであり、
上記スライドロック部には、上記スライドロック部が上記蓋の他端側から遠ざかる方向にスライドしたときに縮むバネ部材が設けられており、
上記開口の開状態から閉状態へ変化する過程においては、
上記蓋が、上記筐体側に押されることにより上記連結部を中心として回動して、上記第１の接触面が上記第２の接触面と接触しつつ上記筐体側に近づくことにより上記蓋の上記他端側の端部が上記筐体側に近づき、かつ、上記第２の接触面が上記第１の接触面と接触しつつ上記蓋の上記他端側から遠ざかることにより上記スライドロック部が当該他端側から遠ざかり、
上記開口の閉状態から開状態へ変化する過程においては、
縮んだ上記バネ部材の弾性力により上記スライドロック部が上記蓋の上記他端側に押されることにより、上記第１の接触面が上記第２の接触面と接触しつつ上記筐体側から遠ざかることにより上記蓋が上記連結部を中心として回動して、上記蓋の上記他端側の端部が上記筐体側から遠ざかり、かつ、上記第２の接触面が上記第１の接触面と接触しつつ上記蓋の上記他端側に近づくことにより上記スライドロック部が当該他端側に近づくことを特徴とする機器収納体。
【請求項２】
上記開口の開状態から閉状態へ変化する過程において、
上記第１の接触面と上記第２の接触面との接触が外れた際に、上記バネ部材の弾性力により上記スライドロック部の上記端部が上記蓋の上記他端側にスライドし、上記蓋の上記他端側の端部が上記スライドロック部の上記端部から見て上記筐体側に位置させて、上記スライドロック部の上記端部が上記蓋の上記他端側の端部に接触しつつ上記筐体側に押さえることを特徴とする請求項１に記載の機器収納体。
【請求項３】
上記機器収納体内に設置されたＵＳＢ端子の開口を覆うゴム部材を有し、
上記スライドロック部が上記蓋の上記他端側から遠ざかる方向にスライドされた場合において、
上記スライドロック部の上記端部が上記蓋の上記他端側の端部から離れた際に、上記ゴム部材の反発力により上記蓋が上記筐体側から遠ざかることを特徴とする請求項２に記載の機器収納体。
【請求項４】
上記スライドロック部は、操作者が上記スライドロック部を上記蓋の上記他端側から遠ざかる方向にスライドさせる場合において操作者の指が配置される指配置面を有し、
上記指配置面には、複数の凸形状からなる波型形状が設けられており、当該波型形状は操作者の指の形状に沿った曲面を有することを特徴とする請求項１から３のいずれか１項に記載の機器収納体。
【請求項５】
上記複数の凸形状の各々は、上記蓋の上記他端側から遠ざかるにつれて高くなることを特徴とする請求項４に記載の機器収納体。
【請求項６】
上記筐体の開口の底面には、溝および傾斜面により形成された排水ルートが設けられていることを特徴とする請求項１から５のいずれか１項に記載の機器収納体。
【請求項７】
請求項１から６のいずれか１項に記載の機器収納体を備えることを特徴とする電子機器。
【発明の詳細な説明】
【技術分野】
【０００１】
本発明は、電子機器を収納する筐体を具備した機器収納体に関し、特に、筐体の開口を塞ぐ蓋の開閉構造を備えた機器収納体、および、その機器収納体を用いた電子機器に関する。なお、好適な電子機器としては、プログラマブル表示器や産業用コンピュータのような、表示部にタッチパネルが設けられたものがあげられる。
【背景技術】
【０００２】
従来、工場内のデバイスを制御するためのＨＭＩ（Ｈｕｍａｎ  Ｍａｃｈｉｎｅ  Ｉｎｔｅｒｆａｃｅ）として、プログラマブル表示器が広く使用されている。プログラマブル表示器は、プログラマブルロジックコントローラ（ＰＬＣ）とのインターフェースを備えている。プログラマブル表示器は、インターフェース備えることにより、ＰＬＣに接続されたデバイスの稼働状況を表示したり、デバイスへの制御指示を与えるための入力操作を、タッチパネルを介して受け付けたりする機能を実現可能な操作型表示器である。
【０００３】
さらに近年では、筐体のフロント部分に、ＵＳＢ端子等を備えるプログラマブル表示器も使用されている。これにより、端子が筐体の裏側に設けられている場合に比べ、手軽にプログラマブル表示器を他のコンピュータやメモリ装置に接続することが可能となる。
【０００４】
ところで、プログラマブル表示器は劣悪な環境で使用されることが多い。そのため、劣悪な環境で使用されるプログラマブル表示器には水分や油分の侵入の対策が必要となる。工業用制御装置のＮＥＭＡ規格（ＵＬ５０８）では、プログラマブル表示器のフロント部分に設けられる端子を蓋（フロントメンテナンスカバー）で保護することにより防水性・耐油性を持たせ、さらに、ネジを用いて、当該蓋をフロント部分に固定できるようにすることが定められている。
【０００５】
端子等を保護する、上記の規格に沿った蓋の構造の例として特許文献１が挙げられる。
【０００６】
図１０は特許文献１に記載されている従来の蓋の構造である。図１０の（ａ）は従来のプログラマブル表示器１００の外観を示している。図１０の（ｂ）は蓋が空いた状態における従来の開閉構造の平面図を示している。図１０の（ｃ）は蓋が閉じた状態における従来開閉構造の平面図を示している。
【０００７】
プログラマブル表示器１００は、表示画面１１１および筐体１０２を備えている。図１０の（ｂ）に示すように、筐体１０２の前面には、開口が形成されており、開口の内部にＵＳＢ端子１０３が設けられている。ＵＳＢ端子１０３を保護するために、プログラマブル表示器１００は、開口を塞ぐ蓋１０５と蓋１０５を閉状態に保持する保持機構とを備えた、開閉構造１０１を備えている。
【０００８】
図１０の（ｂ）は蓋１０５が開いた状態における従来の開閉構造１０１の平面図を示している。開口１２１にＵＳＢ端子１０３が設けられており、ＵＳＢ端子１０３を保護する為に蓋１０５が取り付けられている。蓋１０５の一端は、ヒンジ１５１によって開口１２１の下方に回動可能に連結されている。開口１２１のヒンジ１５１が取り付けられていない側には、前記閉状態に保持する保持機構として、所定方向にスライド可能なスライド部材１０６と、スライド部材１０６を固定可能なネジ１０７とが設けられる。
【０００９】
図１０の（ｃ）は蓋１０５が閉じた状態における従来の開閉構造１０１の平面図を示している。蓋１０５は、上面に沿ってスライド可能なスライド部材１５２を有し、上記記載の、所定方向にスライド可能なスライド部材１０６と、スライド部材１０６を固定可能なネジ１０７とが設けられる。蓋１０５の開いた状態ではスライド部材１５２およびスライド部材１０６は収容位置にある。蓋１０５を閉じた状態で、スライド部材１５２、１０６が収容位置にあると、ロックがかかっておらず、蓋１０５だけが閉じている状態である。そこから、スライド部材１５２をスライドすることにより、スライド部材１５２がスライド部材１０６の係止め部に係止めされ、簡易ロック状態となる。また、スライド部材１５２がスライド部材１０６の係止め部に係止めされた状態で、ネジ１０７を緩め、スライド部材１０６をスライド部材１５２ごと固定ロック位置に移動させたのち、再びネジを締めることで、固定ロック状態となる。
【先行技術文献】
【特許文献】
【００１０】
【特許文献１】特開2011−124465号公報（2011年  6月23日公開）
【発明の概要】
【発明が解決しようとする課題】
【００１１】
上述のような従来技術では、簡易ロック状態を設けることにより、蓋の開閉作業をする度にドライバを用いてネジを緩めたり閉めたりする作業を不要とするものであった。
【００１２】
しかしながら、このような簡易ロック状態を設けた場合でも、蓋の開閉作業を行う際には両手を使用する必要がある。ネジを緩めたり閉めたりする作業と比較すれば、操作者による蓋の開閉作業の操作性は向上しているものの、未だ改善の余地は残されるものであった。
【００１３】
また、上述したような劣悪な環境で使用される場合、簡易ロック、さらには固定ロックを外しても、周囲に付着したゴミ、油によって蓋が開き難いという問題があった。この場合、操作者にとって、上述の蓋の開閉作業は益々手間のかかる作業となってしまう。
【００１４】
さらに、上述の従来技術では、蓋に取り付けられている防水・防油用のゴムは、蓋を閉める際に圧縮され、その圧縮に起因する反発力を生成する。そして、簡易ロック状態が解除されたとき、その反発力により、蓋が人手によらず開く構造であった。しかし、ゴムの経年劣化により上述の反発力が低下し、反発力だけでは蓋が開かないといった問題があった。さらに、経年劣化によりゴム自体が癒着し、蓋が開き難くなるという問題もあった。
【００１５】
本発明は、上記問題を解決するためになされたものであり、その目的は蓋を開ける作業を容易化することができる機器収納体および電子機器を提供することにある。
【課題を解決するための手段】
【００１６】
本発明に係る機器収納体は、上記の課題を解決するために、
開口が形成された筐体と、
上記筐体の開口を開閉する蓋と、
上記蓋の一端側に設けられ、上記筐体に対して上記蓋を回動可能に連結する連結部と、
上記開口の閉状態における上記蓋の他端側の筐体の部分に設けられ、上記蓋の上記他端側から遠ざかる方向にスライド可能なスライドロック部とを備え、
上記蓋の上記他端側の端部の面である第１の接触面は、上記開口の開状態から閉状態へ変化する過程、および、上記閉状態から上記開状態へ変化する際の上記蓋を跳ね上げる過程のいずれにおいても、上記スライドロック部と接するものであり、
上記スライドロック部の、上記開口の閉状態における上記蓋の上記他端側の端部の面である第２の接触面は、上記開口の開状態から閉状態へ変化する過程、および、上記閉状態から上記開状態へ変化する際の上記蓋を跳ね上げる過程のいずれにおいても、上記蓋と接するものであり、
上記スライドロック部には、上記スライドロック部が上記蓋の他端側から遠ざかる方向にスライドしたときに縮むバネ部材が設けられており、
上記開口の開状態から閉状態へ変化する過程においては、
上記蓋が、上記筐体側に押されることにより上記連結部を中心として回動して、上記第１の接触面が上記第２の接触面と接触しつつ上記筐体側に近づくことにより上記蓋の上記他端側の端部が上記筐体側に近づき、かつ、上記第２の接触面が上記第１の接触面と接触しつつ上記蓋の上記他端側から遠ざかることにより上記スライドロック部が当該他端側から遠ざかり、
上記開口の閉状態から開状態へ変化する過程においては、
縮んだ上記バネ部材の弾性力により上記スライドロック部が上記蓋の上記他端側に押されることにより、上記第１の接触面が上記第２の接触面と接触しつつ上記筐体側から遠ざかることにより上記蓋が上記連結部を中心として回動して、上記蓋の上記他端側の端部が上記筐体側から遠ざかり、かつ、上記第２の接触面が上記第１の接触面と接触しつつ上記蓋の上記他端側に近づくことにより上記スライドロック部が当該他端側に近づくことを特徴とする。
【００１７】
上記の構成によれば、蓋が連結部によって筐体に連結され、連結部を中心軸として、回動可能となっていることにより、蓋を開閉することができる。蓋が開状態において、蓋を閉める方向に押すことで、バネ部材の伸縮を利用し、スライドロック部の端部を蓋の端部の上部に位置させることによって蓋を簡易的に固定することができる。よって、片手かつワンタッチで簡単に蓋を簡易ロックすることができる。
【００１８】
また、蓋の簡易ロック状態において、スライドロック部を上記蓋の上記連結部とは反対側へスライドさせ、スライドロック部の端部を蓋の端部の上部に位置するところから外す。上記スライドロック部をスライドさせることによって得たバネ部材の弾性力を、蓋の端部の形状およびスライドロック部の端部の形状を利用して、蓋を跳ね上げる方向に伝えることにより、片手のみで容易に蓋の簡易ロックをアンロックすることができる。また、周囲に付着したゴミ、油、防水用のゴムの劣化による癒着による蓋の開け難さも、バネ部材の反動力を利用し、蓋を跳ね上げる力を加えることによって改善される。
【００１９】
また、本発明に係る電子機器は、筐体に開口が設けられている電子機器であって、前記開口を塞ぐ蓋の開閉構造として、上記の開閉構造を備えることを特徴としている。したがって、開口内部の端子等を確実に保護することができ、かつ、使い勝手のよい電子機器を提供できる。
【００２０】
さらに、本発明に係る機器収納体では、上記開口の開状態から閉状態へ変化する過程において、上記第１の接触面と上記第２の接触面との接触が外れた際に、上記バネ部材の弾性力により上記スライドロック部の上記端部が上記蓋の上記他端側にスライドし、上記蓋の上記他端側の端部が上記スライドロック部の上記端部から見て上記筐体側に位置させて、上記スライドロック部の上記端部が上記蓋の上記他端側の端部に接触しつつ上記筐体側に押さえることが好ましい。
【００２１】
上記構成によれば、スライドロック部の端部を蓋の端部の上部に位置させることによって、蓋を簡易ロック状態にすることができ、またそれに伴い、蓋に付属するＵＳＢ端子の開口を覆うゴム部材を圧縮した状態に保つことができる。
【００２２】
さらに、本発明に係る機器収納体では、上記機器収納体内に設置されたＵＳＢ端子の開口を覆うゴム部材を有し、上記スライドロック部が上記蓋の上記他端側から遠ざかる方向にスライドされた場合において、上記スライドロック部の上記端部が上記蓋の上記他端側の端部から離れた際に、上記ゴム部材の反発力により上記蓋が上記筐体側から遠ざかることが好ましい。
【００２３】
上記構成によって、ゴム部材の反発力のみで上記蓋を簡単に指でつまめる程度まで開けることができる。もしくは、すくなくとも、上記第１の接触面と上記第２の接触面を接触させることができ、バネの弾性力を利用して上記蓋を簡単に指でつまめる程度まで開けることができる。
【００２４】
さらに、本発明に係る機器収納体では、
上記スライドロック部は、操作者が上記スライドロック部を上記蓋の上記他端側から遠ざかる方向にスライドさせる場合において操作者の指が配置される指配置面を有し、
上記指配置面には、複数の凸形状からなる波型形状が設けられており、当該波型形状は操作者の指の形状に沿った曲面を有することが好ましい。
【００２５】
上記構成によれば、スライドロック部を指でスライドさせる際に滑りにくく、自然に指が沿うようになるために、より無理なくスライドロック部をスライドさせることができる。
【００２６】
さらに、本発明に係る機器収納体では、
上記複数の凸形状の各々は、上記蓋の上記他端側から遠ざかるにつれて高くなることが好ましい。
【００２７】
上記構成によれば、スライドロック部をスライドさせる際に自然な形で力を加えることができ、より無理なくスライドロック部をスライドさせることができる。
【００２８】
さらに、本発明に係る機器収納体では、
上記筐体の開口の底面には、溝および傾斜面により形成された排水ルートが設けられていることが好ましい。
【００２９】
上記機器収納体において、開口から水分や油分が開閉構造内部に侵入してくる危険性がある。今までの開閉構造には、開口から水分や油分が開閉構造内部に侵入した際に、侵入した水分や油分が外部へ排出されるルートがなく、開閉構造内部に侵入した水分や油分は開閉構造内部に溜まっていた。蓋が閉まっている際は、ＵＳＢ端子の開口はゴム部材で覆われており、溜まった水分や油分をＵＳＢ端子へ流れ込むのを防ぐことができるが、蓋を開けると、溜まっていた水分や油分がＵＳＢ端子内へ流れ込む恐れがあった。
【００３０】
上記構成を用い、開閉構造内部へ侵入した水分や油分を排出するルートを確保することで、内部に水分や油分が溜まるのを防ぐことができ、よって蓋を開けた際の、溜まっていた水分や油分がＵＳＢ端子内へ流れ込む問題点を改善できる。
【発明の効果】
【００３１】
本発明によれば、蓋を開ける作業を容易化することができる機器収納体および電子機器を提供することができる。
【図面の簡単な説明】
【００３２】
【図１】（ａ）は、蓋が閉じた状態（簡易ロック状態）における開閉構造の平面図、（ｂ）は、当該開閉構造の閉状態になる直前の状態の（ａ）のＡ−Ａ部分断面図、（ｃ）は、当該開閉構造の閉状態の（ａ）のＡ−Ａ部分断面図である。
【図２】本発明の実施形態に係るプログラマブル表示器の正面図である。
【図３】（ａ）は、蓋が開いた状態における開閉構造の平面図、（ｂ）は、当該開閉構造の（ａ）のＢ−Ｂ部分断面図である。
【図４】（ａ）は、蓋の固定ロック状態における開閉構造の平面図、（ｂ）は、当該開閉構造の（ａ）のＣ−Ｃ部分断面図である。
【図５】（ａ）は、蓋の簡易ロック状態を外す動作を示す図、（ｂ）は、スライドロック部が蓋を跳ね上げる動作を示す図である。
【図６】（ａ）は、蓋が閉じた状態（簡易ロック状態）における開閉構造の平面図、（ｂ）は、当該開閉構造の（ａ）のＤ−Ｄ部分断面図、（ｃ）は、当該開閉構造の（ａ）のＥ−Ｅ部分断面図である。
【図７】（ａ）は、蓋が閉じた状態（簡易ロック状態）における開閉構造の平面図、（ｂ）は、当該開閉構造の（ａ）のＦ−Ｆ部分断面図（スライドロック部の形状の変形例）を示す図である。
【図８】開閉構造内の排水のルートおよびその形状を示す図である。
【図９】（ａ）は、蓋が閉じた状態（簡易ロック状態）における開閉構造の平面図、（ｂ）は、当該開閉構造の（ａ）のＧ−Ｇ部分断面図（排水が通る箇所）を示す図である。
【図１０】（ａ）は、従来のプログラマブル表示器の正面図、（ｂ）は、蓋が開いた状態における従来の開閉構造の平面図、（ｃ）は、蓋が閉じた状態における従来の開閉構造の平面図である。
【発明を実施するための形態】
【００３３】
以下図面を参照しながら、本発明の実施の形態を説明する。以下の図面の記載において、同一または類似の部分には同一または類似の符号が付してある。ただし、図面は模式的なものであり、厚みと平面寸法との関係、各層の厚みの比率等は現実のものとは異なるものである。また、図面相互間においても互いの寸法の関係や比率が異なる部分が含まれている。
【００３４】
本発明の実施の一形態について図１から図９を参照して説明する。
【００３５】
図２は、本実施形態に係る機器収納体を用いたプログラマブル表示器１０の正面図である。プログラマブル表示器１０は、表示画面１１および筐体２を備えており、筐体２の前面に、蓋（ハッチ）５４の開閉構造１が設けられている。開閉構造１では、片手かつワンタッチで蓋５４を開閉可能な簡易ロック構造と簡易ロック状態をアンロックする構造を備える。
【００３６】
なお、本発明の電子機器は、上記のプログラマブル表示器１０に限定されず、産業用コンピュータといった、表示部にタッチパネルが設けられた装置であれば適用可能である。
【００３７】
（開閉構造の詳細）
続いて、図１、図３から図５を参照して開閉構造１の詳細を説明する。図３は、蓋５４が開いた状態を示している。また、図１、図４は、蓋５４が閉じた状態を示している。より具体的には、図１は、簡易的にロック（簡易ロック）された状態を示しており、図４は、ネジ止めによってロック（固定ロック）された状態を示している。図５は、蓋５４の簡易ロックを外す動作を示している。便宜上、図１の（ａ）、図３の（ａ）、図４の（ａ）、図５の（ａ）、図６の（ａ）、図７の（ａ）の各図は、左方向が図２の上方向、上方向が図２の右方向、右方向が図２の下方向、下方向が図２の左方向となるように描かれている。また、図１の（ｂ）および（ｃ）、図３の（ｂ）、図４の（ｂ）、図５の（ｂ）、図６の（ｂ）、図７の（ｂ）の各図は、左方向が図２の上方向、上方向が筐体２の外部方向、右方向が図２の下方向、下方向が筐体２の内部方向となるように描かれている。
【００３８】
（開放状態）
次に、開閉構造の開放状態について、図３を参照して具体的に説明する。
【００３９】
図３の（ａ）は、蓋５４が開いた状態における開閉構造１の平面図であり、図３の（ｂ）は、当該開閉構造１の（ａ）のＢ−Ｂ部分断面図である。図３の（ａ）に示すように、筐体２には長方形状の開口２１が形成されている。操作者は、この開口２１を通して、筐体２の内部に配置されたＵＳＢ端子３に、プログラマブル表示器１０の周辺機器等を接続することができる。開口２１の一端（下端）には、開口２１を塞ぐための長方形状の蓋５４が取り付けられている。なお、図３の（ｂ）に示すように、ＵＳＢ端子３は、筐体２の内部に設けられるプリント回路基板（ＰＣＢ）４に設置されている。ＵＳＢ端子３に接続された上述の周辺機器等は、ＵＳＢ端子３を介して、プリント回路基板４に接続される。
【００４０】
図３の（ｂ）に示すように、蓋５４は、ヒンジ（連結部）５１と、ゴム部材５３とを有している。ヒンジ５１は、蓋５４の一端側に形成されており、筐体２の開口２１の一端側に設けられている。ヒンジ５１により、蓋５４は、ヒンジ５１を中心軸として回動し、開口２１におけるスライドロック部５２およびスライド部材６が位置する部分以外を開閉するものである。スライドロック部５２およびスライド部材６については後述する。また、ゴム部材５３は、蓋５４の内側に、蓋５４が閉じた状態でＵＳＢ端子３を覆う位置に取り付けられている。
【００４１】
一方、筐体２における開口２１の他端（上端）部には、上側から順に、スライド部材６およびスライドロック部５２が蓋５４の長手方向に沿って、嵌められている。スライドロック部５２は、左方が開口した略凹字状（図３基準）をなし、蓋５４の長手方向に沿ってスライド可能である。スライドロック部５２の表面形状は、波型形状を有する。なお、スライドロック部５２の表面形状の特徴については後述する。
【００４２】
また、スライドロック部５２にはバネ部材５５が備えられている。バネ部材５５は、例えば、弾性体であるバネを用いることができる。もちろん、バネ部材５５は、バネに限られるものではなく、弾性体であれば構わない。
【００４３】
スライドロック部５２に力が加わらない状態（図３の状態）では、バネ部材５５に力が加わらず、バネ部材５５は伸びた状態となる。一方、スライドロック部５２をヒンジ５１から遠ざけるようにスライドさせるべく、操作者が指でスライドロック部５２に力を加えた場合、スライドロック部５２の移動により、バネ部材５５が縮むことになる。操作者がスライドロック部５２から指を離すと、縮んだバネ部材５５が元に戻ろうとする弾性力により、スライドロック部５２は元の状態（図３の状態）に戻されることになる。すなわち、このスライドロック部５２の戻りは人手によることなく行われ、操作者による蓋５４の開閉作業を容易化させるものである。
【００４４】
また、蓋５４のヒンジ５１と反対の他端側にある端部５４ａは、蓋５４が開状態から閉状態へ変化する過程、および、蓋５４が閉状態から開状態へ変化する際のスライドロック部５２が蓋５４を跳ね上げる過程のいずれにおいても、スライドロック部５２の端部５２ａと接する。端部５４ａは、蓋５４が閉状態において、開口２１の底面に対向する面５４ａ−１と、スライドロック部５２の端部５２ａと接する面（第１の接触面）５４ａ−２とを有する。面５４ａ-２は蓋５４が閉じた状態で、開口２１の底面に対し、傾斜しており、面５４ａ−１と面５４ａ−２とがなす角度は９０°よりも大きく、１８０°よりも小さい。
【００４５】
具体的には、面５４ａ−１と面５４ａ−２とは、お互いの１辺を共有し、当該一辺（ここでは、「共有辺」と呼ぶ）において連続する２つの面である。蓋５４が閉じた状態においては、面５４ａ−１は、開口２１の底面に対向しつつ、当該底面に略平行となる。
【００４６】
面５４ａ−１と面５４ａ−２とが上記共有辺を挟んでなす角度は、上述したとおり、９０°よりも大きく、１８０°よりも小さい。したがって、蓋５４が閉じた状態においては、面５４ａ−２は、開口２１の底面に略平行とはならず、当該底面に対して傾斜する。この「傾斜」とは、具体的には、面５４ａ−２上の各位置は、上記共有辺から、面５４ａ−２の、上記共有辺に対向する一辺側に向かって離れるにつれて、開口２１の底面からの距離が大きくなることを意味する。
【００４７】
なお、上述の「略平行」とは、実質的に平行状態であることを意味するものであり、完全な平行状態に限られるものではない。以下、この「略平行」の意味は上述のものである。
【００４８】
一方、スライドロック部５２は、右端（図３基準）に上述の端部５２ａを持つ。端部５２ａは、蓋５４が開状態から閉状態へ変化する過程、および、蓋５４が閉状態から開状態へ変化する際のスライドロック部５２が蓋５４を跳ね上げる過程のいずれにおいても、蓋５４の面５４ａ−２に略平行となる面（第２の接触面）５２ａ−１を有する。具体的には、面５２ａ−１と面５２ａ−３とは、お互いの１辺を共有し、当該一辺（ここでは、「共有辺」と呼ぶ）において連続する２つの面である。面５２ａ−３は、開口２１の底面に対向しつつ、当該底面に略平行となる。面５２ａ−１は蓋５４の面５４ａ−２に略平行となる面である。したがって、面５２ａ−１は、開口２１の底面に略平行とはならず、当該底面に対して傾斜する。この「傾斜」とは、具体的には、面５２ａ−１上の各位置は、上記共有辺から、面５２ａ−１の、上記共有辺に対向する一辺側に向かって離れるにつれて、開口２１の底面からの距離が大きくなることを意味する。
【００４９】
面５４ａ−１と面５４ａ−２とが上記共有辺を挟んでなす角度は、上述したとおり、９０°よりも大きく、１８０°よりも小さい。よって、面５２ａ−１と面５２ａ−３とのなす角は０°よりも大きく、９０°よりも小さくなる。例えば、面５４ａ−１と面５４ａ−２とがなす角を１３５°とすれば、面５２ａ−１と面５２ａ−３とがなす角は４５°となる。面５２ａ−１は、上記２つの過程において、蓋５４の面５４ａ−２と接触する。
【００５０】
このようなスライドロック部５２の端部５２ａおよび蓋５４の端部５４ａが有する各形状の効果については後述する。
【００５１】
次いでスライド部材６について説明する。スライドロック部５２に隣接する筐体２の左方（図３基準）の領域には、スライド部材６と、このスライド部材６を筐体２に固定可能なネジ（固定用ネジ）７とが設けられている。スライド部材６は右方（図３基準）に突出した略凸字状をなし、この突部が、スライドロック部５２の開口に挿入されてスライド部材６とスライドロック部５２とは互いにかみ合うように隣接している。スライド部材６およびネジ７は、蓋５４を閉状態に保持する保持機構としての機能を備えている。
【００５２】
スライド部材６の中央部には、ネジ７の軸を通す左右（図３基準）に長い長穴が開けられている。ネジ７が締められると、ネジ７の座面がスライド部材６を押圧し、その押圧により、スライド部材６が筐体２に固定される。また、ネジ７が緩んだ状態では、操作者は、自身の指をスライド部材６の上面に押し当て、力を加えることにより、スライド部材６を所定方向（図３の（ｂ）の右方向）にスライドさせることができる。
【００５３】
また、蓋５４の開閉構造を構成する上述の各構成部材は、開口２１内に設置されている。開口２１は、表示画面１１と同じ平面上における筐体２の開口である。開口２１内には、ＵＳＢ端子３ための開口以外、筐体２の内部へ通じる開口はない。開口２１の底面は、筐体２の内部と外部とを隔てている。
【００５４】
（簡易ロック状態）
次に、開閉構造１の簡易ロック状態について、図１を参照して具体的に説明する。
【００５５】
図１の（ａ）は、蓋５４が閉じた状態（簡易ロック状態）における開閉構造１の平面図であり、図１の（ｂ）は、当該開閉構造１の閉状態になる直前の状態の（ａ）のＡ−Ａ部分断面図、図１の（ｃ）は、当該開閉構造１の閉状態の（ａ）のＡ−Ａ部分断面図である。
【００５６】
図１の（ｃ）に示すように、蓋５４が開口２１を塞いでゴム部材５３がＵＳＢ端子３の前方を覆うことにより、ＵＳＢ端子３が保護・防水がされる。
【００５７】
スライド部材６が図１の（ａ）の状態で固定されている場合、スライドロック部５２は、図１の（ａ）の位置からスライドロック部５２の左方開口縁部（図１基準）が、スライド部材６に当たるまでスライド可能である。
【００５８】
図３の蓋５４が開いている状態から、蓋５４を閉じた際に蓋５４の外面となる面が操作者の指により押されると、図１の（ｂ）に示す状態になる。すると、蓋５４とスライドロック部５２は、蓋５４の端部５４ａとスライドロック部５２の端部５２ａとで接する。
具体的には、蓋５４の端部５４ａの面５４ａ−２とスライドロック部５２の端部５２ａの面５２ａ−１とが接することになる。その状態で、さらに蓋５４に矢印Ａの方向の力が加わると、蓋５４は矢印Ａの方向に押し下げられ、それに伴って、蓋５４の端部５４ａもスライドロック部５２の端部５２ａを押しながら下がる。このとき、蓋５４の端部５４ａの面５４ａ−２とスライドロック部５２の端部５２ａの面５２ａ−１とは接しながら、互いに左右方向における反対の方向に向かって押し合う。（左右についてはいずれも図３基準）上述したように、蓋５４の端部５４ａの面５４ａ−１と面５４ａ−２とは９０°以上の角度をなしている。このため、端部５４ａの押し下げにより、端部５４ａの面５４ａ−１とスライドロック部５２の端部５２ａの面５２ａ−１との間における上述した力の作用を介して、スライドロック部５２の端部５２ａ（すなわち、スライドロック部５２）は、図面左方向に移動することになる。
【００５９】
より具体的には、蓋５４が矢印Ａの方向に押し下げられると、蓋５４はヒンジ５１を支点として回動動作を開始する。この回動動作の進行に伴い、蓋５４の端部５４ａはスライドロック部５２の端部５２ａに徐々に近づき、やがて、お互いに接触する。すなわち、蓋５４の端部５４ａの面５４ａ−２がスライドロック部５２の端部５２ａの面５２ａ−１と接触する。
【００６０】
面５４a−２と面５２ａ−１とが接触し、さらに、蓋５４の上述の回動動作が続くと、面５４ａ−２に垂直な力、すなわち、面５２ａ−１に垂直な力で、面５４ａ−２は面５２ａ−１を押すことになる。ここで、面５２ａ−１に垂直な力は、開口２１の底面に垂直な図面下方向への力と、開口２１の底面に平行な図面左方向の力との２つの力（分力）に分けられる。開口２１の底面に平行な図面左方向の力への分力により、スライドロック部５２は図面左方向へ移動する。
【００６１】
このようにして、スライドロック部５２の端部５２ａは蓋５４の端部５４ａに押され、その結果、スライドロック部５２は図１の（ｂ）の矢印Ｂの方向へスライドする。それに伴い、バネ部材５５に図１の（ｂ）の左方向の力が加わり、その力によりバネ部材５５は縮む。
【００６２】
さらに、蓋５４を図１の（ｂ）の矢印Ａの方向に押し続けると、蓋５４の端部５４ａがスライドロック部５２の端部５２ａの下側に入り込み、端部５２ａが端部５４ａを押さえた状態となる。具体的には、蓋５４を上記矢印Ａの方向に押し続けると、蓋５４とスライドロック部５２は、面５４ａ−２の上端側の端点５４ａ−３と、面５２ａ−１の下端側の端点５２ａ−２とで接する。さらに蓋５４を矢印Ａの方向に押し続けると、蓋５４は押される力によりスライドロック部５２より下側に移動し、蓋５４とスライドロック部５２とで接する箇所がなくなる。端部５２ａと端部５４ａが離れると、端部５４ａの面５４ａ−２と端部５２ａの面５２ａ−１との接触により、端部５２ａを押していた力がなくなる。その結果、バネ部材５５を押す力がなくなり、縮んでいたバネ部材５５は元の伸びた状態に戻る。よって、スライドロック部５２も元の位置（図３の（ｂ）の位置）に戻る。これによって、端部５２ａは端部５４ａの上部に位置することになり、端部５２ａが端部５４ａを押さえた状態となる。よって蓋５４はスライドロック部５２により簡易的にロックされる。
【００６３】
ここで、蓋５４が簡易ロックされている間、端部５４ａは端部５２ａに抑えられているので、蓋５４のゴム部材５３は抑えられた状態となり、よって、ゴム部材５３が圧縮されてＵＳＢ端子３に押しつけられた状態となり、ＵＳＢ端子３の端子部分を水分や油から保護できる。
【００６４】
このように蓋５４はバネ部材５５の伸縮を利用し、蓋５４を指で押すだけという片手での簡単な動作で蓋５４の簡易ロック、さらに同時に防水機能を維持できる状態とすることが可能となる。
【００６５】
（簡易ロックのアンロック）
次に、蓋５４の簡易ロック状態をアンロックする場合について、図５を参照して具体的に説明する。
【００６６】
図５の（ａ）は、蓋５４の簡易ロックを外す動作を示す図であり、図５の（ｂ）は、スライドロック部５２が蓋５４を跳ね上げる動作を示す図である。
【００６７】
簡易ロックとは、工業用制御装置のＮＥＭＡ規格を満たす開閉構造を実現するネジでの固定ではなく、ネジの開閉を必要としない簡易的なロック状態を示す。
【００６８】
蓋５４の簡易ロック状態をアンロック（解除）する場合、操作者は、蓋５４の長手方向に沿って、スライドロック部５２を指で左方（図３基準）にスライドさせる。上記により、蓋５４の端部５４ａの上部に位置していたスライドロック部５２の端部５２ａは図５の（ａ）の左方向にスライドし、図５の（ａ）に示すように、端部５４ａの上部が解放される。このとき、スライドロック部５２のスライドにより、バネ部材５５に力が加わり、バネ部材５５が縮むのは言うまでも無い。
【００６９】
ここで、蓋５４が簡易ロック状態の間、端部５４ａは端部５２ａに抑えられており、同時に、ゴム部材５３も蓋５４に抑えられた状態となっている。つまり、蓋５４が簡易ロック状態の間、ゴム部材５３が圧縮された状態にある。このような状態の下で、端部５４ａを押さえる力がなくなる（スライドロック部５２をスライドさせることにより、端部５２ａが端部５４ａの上部から外れる）と、ゴム部材５３を押さえる力もなくなり、ゴム部材５３は圧縮状態から解放される。その解放時における、圧縮状態から元の状態に戻ろうとする力（反発力）により、蓋５４は、ヒンジ５１を中心にして、簡易ロック状態より少し上に跳ね上がる。
【００７０】
ゴム部材５３の反発力による蓋５４跳ね上がり方について、２通り考えられる。一つは、蓋５４を指で簡単につまめる位置まで蓋５４が跳ね上がる場合である。この場合は、ゴム部材５３の反発力のみで蓋５４が開いた状態である。
【００７１】
もう一つは、蓋５４を指で簡単につまめる位置まで蓋５４が跳ね上がらない場合、具体的には、図５の（ｂ）の位置までしか跳ね上がらない場合である。この場合は、ゴム部材５３の反発力だけでは蓋５４を開けることができず、従来技術であれば、蓋５４を開けるためには、その状態からなんらかの道具を用いて蓋５４を開けるしか方法がなかった。
【００７２】
しかし、本発明の構造においては、図５の（ｂ）の状態で操作者が指を離すと、図５の（ｂ）に示すように、端部５４ａと端部５２ａが接する状態となるようにゴム部材５３の厚みや弾性力が定められている。すなわち、端部５４ａの面５４ａ−２と端部５２ａの面５２ａ−１とが再び接することになる。
【００７３】
その結果、バネ部材５５の、元の状態に戻ろうとする弾性力で、端部５２ａの面５２ａ−１が端部５４ａの面５４ａ−２を押すことになる。ここで、端部５２ａと端部５４ａの形状により、端部５２ａからの端部５４ａを押す力は、端部５４ａを押し上げる力となり、蓋５４はヒンジ５１を中心として跳ね上がる。
【００７４】
具体的には、バネ部材５５の弾性力は、開口２１の底面と水平な力で図面右側へ、面５２ａ−１から面５４ａ−２へ伝わる。ここで、右方向への開口２１の底面と水平な力は、面５４ａ−２に対し垂直な図面右上向きの力と、面５４ａ−２に沿った図面右下向きの力とに分力される。よって、面５４ａ−２に対し垂直な図面右上向きの力の作用により、面５４ａ−２は図面右上向きに押される。その結果、蓋５４の端部５４ａは図面上向きに押され、蓋５４がヒンジ５１を中心として図面の上方へ回動し、跳ね上がる。
【００７５】
よって、簡易ロック状態をアンロックする場合であって、ゴム部材５３の反発力のみで蓋５４が指で簡単につまめる程度まで開かない場合でも、スライドロック部５２を指でスライドさせ、指を離すという片手での簡単な動作で、簡易ロック状態をアンロックすることが可能となる。
【００７６】
（固定ロック状態）
次に、開閉構造１の固定ロック状態について、図１、図４を参照して具体的に説明する。
【００７７】
図４の（ａ）は、固定ロック状態における開閉構造１の平面図を示す。図４の（ｂ）は、当該開閉構造１の（ａ）のＣ−Ｃ部分断面図を示す。
【００７８】
図１の（ｃ）は、固定ロックしていない、簡易ロック状態を表す。このスライド部材６の位置を第１の位置とする。簡易ロック状態から、固定ロック状態にするためには、操作者は、図１の（ｃ）の状態で、ネジ７を緩め、自身の指をスライド部材６の上面に押し当てて図中右方向に力を加えればよい。この場合、スライド部材６は、図４の（ｂ）に示す、固定ロック位置にスライドする。この位置を第２の位置とする。
【００７９】
ここで、上記に記した通り、スライドロック部５２とスライド部材６において、スライドロック部５２は略凹字の形状、スライド部材６は略凸字の形状をもち、互いにかみ合わさるように隣接している。スライド部材６が固定されていない場合、スライド部材６は、図１の（ａ）の位置からスライドロック部５２までをスライド可能である。より具体的に図１の（ｃ）を用いて説明する。スライド部材６は、図１の（ｃ）の位置（第１の位置）から、スライドロック部５２の端部５２ａとは反対側の端部５２ｂと、スライド部材６の右端（図１基準）にある端部６ａとが接触するまでの位置（第２の位置）をスライド可能である。スライド部材６を第２の位置で固定すると、スライドロック部５２の端部５２ｂがスライド部材６の端部６ａによって固定されるので、スライドロック部５２が固定され、蓋５４が固定される。さらに、ネジ７を締めることにより、スライドロック部５２が固定ロックされ、蓋５４が固定ロックされる。
【００８０】
また、蓋５４の固定ロックをアンロックする場合は、操作者は、図４の（ｂ）の状態からネジ７を緩め、自身の指をスライド部材６の上面に押し当てて図中左方向に力を加え、スライド部材６を第２の位置から第１の位置にスライドさせればよい。
【００８１】
上記構成により、固定ロック、および、固定ロック状態のアンロックを行う場合、ドライバを用いてネジ７を緩めたり締めたりする作業は必要となるが、工業用制御装置のＮＥＭＡ規格を満たす開閉構造１を実現することができる。
【００８２】
（スライドロック部の形状について）
スライドロック部５２の形状の特徴について図６を参照して具体的に説明する。
【００８３】
図６の（ａ）は、蓋５４が閉じた状態（簡易ロック状態）における開閉構造１の平面図を示す。図６の（ｂ）は、当該開閉構造１の（ａ）のＤ−Ｄ部分断面図を示す。図６の（ｃ）は、当該開閉構造１の（ａ）のＥ−Ｅ部分断面図を示す。
【００８４】
上述したように、スライドロック部５２は、操作者の指から加わる力によって、左方（図６基準）にスライドし、バネ部材５５により右方へスライドする。そのため、スライドロック部５２は、下記に述べる特徴を有する。
【００８５】
操作者は、スライドロック部５２をスライドさせる際、自身の指がしっかりとスライドロック部５２の表面に固定され、確実にスライドロック部５２をスライドさせることができることが好ましい。このため、スライドロック部５２の表面（指配置面）には、スライドロック部５２をスライドさせる方向に対し、操作者の指が滑り難いように、図６の（ｂ）に示す波型形状とされている。この波型形状は、複数の凸形状からなる。
【００８６】
また、操作者は、スライドロック部５２を図６の（ｂ）の左方向にスライドさせる際、自身の指を上述の波型形状上に置き、図６の（ｂ）の左方向に力を入れる。そこで、図６の（ｂ）の左方向に力を入れる際に、操作者が、より自然に力をかけることができるように、上述の波型形状の各凸形状は矢印の方向に沿って徐々に高くなるような形状であることが好ましい。ここで、スライドロック部５２は指を離すとバネ部材５５により、図６の（ｂ）図面右方向へ戻されるので、スライドロック部の形状は図６の（ｂ）図面左側へスライドさせるのに適した形状であればよい。
【００８７】
さらに、図６の（ｃ）に示すように、上述の波型形状には操作者の指の形に沿った曲面５７が設けられていることが好ましい。
【００８８】
以上により、スライドロック部５２のスライドをよりスムーズに行えるようにすることで、より簡単で無理のない動作での簡易ロック、および、簡易ロック状態のアンロックを行うことが可能となる。
【００８９】
また、スライドロック部５２の形状の変形例について図７を参照して説明する。
【００９０】
図７の（ａ）は、蓋５４が閉じた状態（簡易ロック状態）における開閉構造１の平面図を示す。図７の（ｂ）は、当該開閉構造１の（ａ）のＦ−Ｆ部分断面図を示す。
【００９１】
スライドロック部５２の表面（指配置面）は、図７の（ｂ）の左方向に力を入れる際に、操作者がより自然に力をかけることができるように、矢印の方向に沿って徐々に高くなるような形状であってもよい。さらに、説明書を用いなくても操作部や操作方向が分かるように、ピクトグラムを描くこと（シール等を貼り付けることもある）が好ましい。例えば図７の（ａ）に示すように、スライドロック部５２のスライド方向に三角矢印を描くことによって、スライド操作を促すことができる。
【００９２】
（排水ルート、形状について）
ところで、スライド部材６やスライドロック部５２を可動とするため、スライド部材６およびスライドロック部５２と開口２１縁との間に隙間をあけて配置する必要があり、このため、スライド部材６やスライドロック部５２と、開口２１との隙間から開口２１内部へ水分や油分が流れ込んでしまうことがあるが、以下に述べる排水ルートにより流れ込んだ水等は排出される。
【００９３】
本発明の排水ルート、形状について図８、図９を参照して説明する。
【００９４】
図８に、開閉構造１内のルートおよびその形状を示す。
【００９５】
図９の（ａ）は、蓋５４が閉じた状態（簡易ロック状態）における開閉構造１の平面図、（ｂ）は、当該開閉構造１の（ａ）のＧ−Ｇ部分断面図を示す。
【００９６】
図８は、図面上側が、図２の上側となる。また、図９の（ａ）では、図面左側が、図２の上側となる。
【００９７】
図８に示すように、まず開口２１のネジ穴７ａが位置する箇所では、開閉構造１に侵入した水分や油分（排水）を、スライド部材６の両側を通して下方に流し、ネジ穴７ａ下方において一か所に集めることにより、流量を確保し、下方への流れを作る。続いて、開口２１のスライドロック部５２が位置する箇所では、当該箇所から開閉構造１に侵入した排水と、開口２１のネジ穴７ａが位置する箇所から流れてきた排水を、スライドロック部５２の両側を通して下方に流し、スライドロック部５２の下方において一か所に集め、さらに下方へ流す。ここで、図９の（ａ）および（ｂ）において、上記開口２１のネジ穴７ａが位置する箇所の排水が通る箇所について具体的に説明する。
【００９８】
図９の（ｂ）は、スライド部材６の断面図を示す。図９の（ｂ）で示されているように、ネジ７と筐体２との間にスライド部材６が位置する。さらにスライド部材６はネジ７に固定されており、スライド部材６と筐体２との間に隙間６ｃが設けられている。この隙間６ｃを通り、排水が下方へ流れる。つまり、隙間６ｃが排水ルートとなる。なお、図示はないが、開口２１におけるスライドロック部５２の断面も隙間６ｃと同様の隙間が設けられており、当該隙間を通って排水が下方へ流れる。
【００９９】
続いて、開口２１のＵＳＢ端子３が位置する中央部では、排水が防水のためのゴム部材５３を避けて流れることができるように、排水ルートとしてＵＳＢ端子３の両側に溝が形成されている。当該箇所から開閉構造１に侵入した排水と、開口２１のスライドロック部５２が位置する箇所から流れてきた排水を、ＵＳＢ端子３の両側に流れを分担させ、そのままヒンジ５１が設置されている下部へ導き、下端で流れを再び一か所にまとめた後に排出させる。この排出のため、例えば、図４の（ｂ）に示すように、開口２１の下縁には、傾斜面２ａが形成されている。この傾斜面２ａとヒンジ５１の下端（図４の（ｂ）における右端）との間には、図示は省略したが隙間が開けられており、当該隙間から水等が排出される。また、機器収納体の蓋５４内側の構造には、排水が通過するルートに向かって傾斜がつけられており、それぞれのルートに排水を導く。
【０１００】
すなわち、本実施形態の機器収納体は、溝および傾斜形状により形成され排水ルートを備えた構造により、蓋５４内側に水分や油分が侵入した場合でも蓋５４内側に水分や油分が溜まることなく、下部より排出される。
以上述べたように、流れ込んだ水等は、蓋５４の状態に関わらずに開口２１の下部から排出されるので、特に、蓋を開いた際にＵＳＢ端子３内へ水等が流れ込む恐れがあった問題点を改善することができる。
【０１０１】
本実施形態では、本発明に係る開閉構造をプログラマブル表示器に適用する例について説明したが、本発明に係る開閉構造は、産業用コンピュータ（ＩＰＣ）や、その他のあらゆる電子機器に適用可能である。
【０１０２】
また、本実施形態では、蓋５４の保護対象、すなわち収納される機器がＵＳＢ端子である例について説明したが、保護対象は、これに限定されず、他の規格の端子や、メモリカード等のスロット、スイッチ等の各種機器であってもよい。
【０１０３】
また、蓋５４の端部５４ａおよびスライドロック部５２の端部５２ａの各形状は、蓋５４を開状態から閉状態にする過程では、蓋５４を押し込む方向に力を伝えることができ、逆に、蓋５４を閉状態から開状態にする際に蓋５４を跳ね上げる過程では、蓋５４を跳ね上げる方向に力を伝えることができる形状であればよい。
【０１０４】
さらに、面５４ａ−２や面５２ａ−１の角度も上記実施形態には限られない。両面５４ａ−２、５２ａ−１の角度は、蓋５４を閉める過程で両面５４ａ−２、５２ａ−１が互いに接触した際に、スライドロック部５２を左方（図５基準）に動かす力が生じる角度であればよい。両面５４ａ−２、５２ａ−１は面接触することが好ましいが、必ずしも面接触する必要はない。
【０１０５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０６】
本発明に係る開閉構造は、あらゆる電子機器に適用可能である。
【符号の説明】
【０１０７】
１  開閉構造
２  筐体
２ａ  傾斜面
３  ＵＳＢ端子
４  プリント回路基板
６  スライド部材
６ａ  端部
６ｃ  隙間
７  ネジ
７ａ  ネジ穴
１０  プログラマブル表示器
１１  表示画面
２１  開口
５１  ヒンジ
５２  スライドロック部
５２ａ  端部
５２ａ−１  面（第２の接触面）
５２ａ−２  端点
５２ａ−３  面（開口２１底面に対向する面）
５２ｂ  端部
５３  ゴム部材
５４  蓋
５４ａ  端部
５４ａ−１  面（開口２１底面に対向する面）
５４ａ−２  面（第１の接触面）
５４ａ−３  端点
５５  バネ部材
５７  指の形に沿った曲面
【図１】
2014038395.tif 000003
【図２】
2014038395.tif 000004
【図３】
2014038395.tif 000005
【図４】
2014038395.tif 000006
【図５】
2014038395.tif 000007
【図６】
2014038395.tif 000008
【図７】
2014038395.tif 000009
【図９】
2014038395.tif 000010
【図１０】
2014038395.tif 000011
【図８】
2014038395.tif 000012